(57)【要約】【課題】上位装置の監視を要することなく、ひいては上位装置に負担をかけることなく、複数のプリント部をそれぞれのコントローラで容易にしかも的確に制御することができるプリント装置を提供する。【解決手段】ステートメントプリンタＳＴは、上位装置３０からの指示に応じて動作し、サーマル用紙４を搬送しながらそのサーマル用紙４へのプリントを行う。パスブックプリンタＰＢは、上位装置３０からの指示に応じて動作し、通帳Ｔを搬送しながらその通帳Ｔへのプリントを行うとともに、ステートメントプリンタＳＴのプリント時、そのステートメントプリンタＳＴから指示の転送を受けて、サーマル用紙４の搬送を行う。【選択図】図２
2010214733.tif 000002
【特許請求の範囲】
【請求項１】
上位装置からの指示に応じて動作し、用紙を搬送しながらその用紙へのプリントを行う第１プリンタと、
前記上位装置からの指示に応じて動作し、通帳を搬送しながらその通帳へのプリントを行うとともに、前記第１プリンタのプリント時に前記用紙の搬送を行う第２プリンタと、
この第１プリンタと第２プリンタの相互間に接続されたインターフェースと、
前記第１プリンタに設けられ、前記上位装置からの指示に応じて前記第１プリンタのプリントを制御するとともに、その上位装置からの指示を前記インターフェースを介して前記第２コントローラに転送する第１コントローラと、
前記第２プリント部に設けられ、前記上位装置からの指示に応じて前記第２プリンタのプリントを制御するとともに、前記第１プリンタのプリント時に前記第１コントローラから転送される指示に応じて前記第２プリンタによる用紙の搬送を制御する第２コントローラと、
を備えることを特徴とするプリント装置。
【請求項２】
前記第１プリンタに設けられ、前記用紙を搬送する第１搬送手段と、
前記第２プリンタに設けられ、前記通帳および前記用紙を搬送する第２搬送手段と、
をさらに備えることを特徴とする請求項１記載のプリント装置。
【請求項３】
前記用紙は、サーマル用紙であり、
前記第１プリンタは、サーマルプリンタであり、
前記第２プリンタは、ドットマトリックスプリンタである、
ことを特徴とする請求項１または請求項２に記載のプリント装置。
【発明の詳細な説明】
【技術分野】
【０００１】
この発明は、サーマル用紙へのプリントおよび通帳へのプリントを行うプリント装置に関する。
【背景技術】
【０００２】
サーマル用紙へのプリント機能および通帳へのプリント機能を併せ持つプリント装置が開発され、実用化されつつある。
【０００３】
このようなプリント装置には、複数のプリント部が搭載され、これらプリント部が上位装置からの指示に応じて動作する。
【０００４】
なお、上位のホスト装置からの指示に応じて２つのプリンタユニットを動作させるシステムとして、例えば特許文献１（特開２００２−７３２９０号公報）に記載のものが知られている。
【発明の概要】
【発明が解決しようとする課題】
【０００５】
上記のように、複数のプリント部を有するプリンタにおいて、各プリンタを１つのコントローラで制御しようとすると、そのコントローラに複数の制御機能を搭載する必要があり、コントローラに求められる性能が高くなって、その結果、コストアップとなる。
【０００６】
各プリンタをそれぞれのコントローラで制御する場合には、各プリンタの動作を同期させるために、各プリンタの状態を上位装置の側で監視する必要がある。結果として、上位装置の負担が重くなる。
【０００７】
この発明は、上記の事情を考慮したもので、上位装置の監視を要することなく、ひいては上位装置に負担をかけることなく、複数のプリンタをそれぞれのコントローラで容易にしかも的確に制御することができるプリント装置を提供することを目的とする。
【課題を解決するための手段】
【０００８】
請求項１に係る発明のプリント装置は、上位装置からの指示に応じて動作し、用紙を搬送しながらその用紙へのプリントを行う第１プリンタと、前記上位装置からの指示に応じて動作し、通帳を搬送しながらその通帳へのプリントを行うとともに、前記第１プリンタのプリント時に前記用紙の搬送を行う第２プリンタと、この第１プリンタと第２プリンタの相互間に接続されたインターフェースと、前記第１プリンタに設けられ、前記上位装置からの指示に応じて前記第１プリンタのプリントを制御するとともに、その上位装置からの指示を前記インターフェースを介して前記第２コントローラに転送する第１コントローラと、前記第２プリント部に設けられ、前記上位装置からの指示に応じて前記第２プリンタのプリントを制御するとともに、前記第１プリンタのプリント時に前記第１コントローラから転送される指示に応じて前記第２プリンタによる用紙の搬送を制御する第２コントローラと、を備える。
【発明の効果】
【０００９】
この発明のプリント装置によれば、上位装置の監視を要することなく、ひいては上位装置に負担をかけることなく、複数のプリンタをそれぞれのコントローラで容易にしかも的確に制御することができる。
【図面の簡単な説明】
【００１０】
【図１】この発明の一実施形態の内部構成を示す図。
【図２】一実施形態の制御回路のブロック図。
【図３】一実施形態における上位装置とパスブックプリンタとの間の情報の送受信を示す図。
【図４】一実施形態における上位装置とステートメントプリンタとの間の情報の送受信、およびステートメントプリンタとパスブックプリンタとの間の情報の送受信を示す図。
【発明を実施するための最良の形態】
【００１１】
以下、この発明の一実施形態について、図面を参照しながら説明する。  
図１に示すように、プリント装置１は、前面部に、通帳Ｔの出入口とステイトメント用紙の出口を兼ねるフェイシア部２を有する。プリント装置１内の後面側には、用紙装填部３が設けられ、この用紙装填部３にロール状のサーマル用紙４が装填されている。このサーマル用紙４は、先端部が第１搬送手段５によって引き出され、搬送路６ａに導かれる。この搬送路６ａに沿って、サーマルプリント部７および切断部８が配設されている。
【００１２】
また、プリント装置１内に、第２搬送手段１０が設けられている。第２搬送手段１０は、搬送路６ｂに沿って配設された搬送ローラ対１１ａ〜１１ｅ、出入ローラ対１２、およびフィードローラ対１５を有し、フェイシア部２に挿入される通帳Ｔを搬送路６ｂ上で搬送するとともに、上記搬送路６ａから搬送路６ｂに送られてくるサーマル用紙４をフェイシア部２に向け搬送する。そして、搬送路６ｂにおける搬送ローラ対１１ａ，１１ｂ間に、２４ピンのドットマトリックスヘッド９ａを有するドットプリント部９が配設される。出入ローラ対１２は、フェイシア部２に挿入される通帳Ｔの取込みを行うとともに、プリントが済んだ通帳Ｔやステートメント用紙をフェイシア部２の外に送り出す。
【００１３】
第２搬送手段１０の用紙導入側には、サーマル用紙４の先端部を検知する用紙センサ２８が設けられている。第２搬送手段１０における出入ローラ対１２の近傍には、通帳Ｔの挿入を検知する通帳センサ２９が設けられている。
【００１４】
第１搬送手段５のサーマルプリント部７は、サーマル用紙４の搬送方向に沿う所定間隔の位置に配設された第１および第２のサーマルヘッド１７，１８を有する。これらサーマルヘッド１７，１８に対し、第１および第２のプラテンローラ２０，２１が回動可能に圧接されている。サーマル用紙４は、サーマルヘッド１７，１８とプラテンローラ２０，２１で挟持搬送されながら、サーマルヘッド１７，１８によりその表面と裏面にそれぞれ情報がプリントされる。
【００１５】
上記切断部８は、ロータリーカッタ２３を有し、サーマル用紙４が切断部８より先に所定距離送り出されたところでロータリーカッタ２３を回転させ、サーマル用紙４を切断する。この切断片が、ステートメント用紙となる。
【００１６】
また、第１搬送手段５は、サーマルヘッド１７，１８に回転可能に圧接された第１および第２のプラテンローラ２０，２１を含むとともに、ロータリーカッタ２３で切断されたステートメント用紙を第２搬送手段１０に送り出すフィードローラ対１４を含む。この第１搬送手段５のプラテンローラ２０，２１、ロータリーカッタ２３、フィードローラ対１４は、モータ２５によって回転駆動される。第２搬送手段１０の搬送ローラ対１１ａ〜１１ｅ、出入ローラ対１２、フィードローラ対１５は、モータ２６によって回転駆動される。
【００１７】
このようなプリント装置１において、用紙装填部３から第１搬送手段５およびその周辺部にかけて、サーマル用紙４を搬送しながらそのサーマル用紙４へのプリントを行うステートメントプリンタ（第１プリンタ）ＳＴが構成される。
【００１８】
フィードローラ対１５から第２搬送手段１０およびその周辺部にかけて、通帳Ｔを搬送しながらその通帳Ｔへのプリントを行いつつ、ステートメントプリンタＳＴのプリント時にサーマル用紙４の搬送も行うパスブックプリンタ（第２プリンタ）ＰＢが構成される。
【００１９】
制御回路を図２に示す。  
ステートメントプリンタＳＴおよびパスブックプリンタＰＢが、ＵＳＢハブ３１を介して、上位装置（ホスト装置ともいう）３０に接続される。さらに、ステートメントプリンタＳＴとパスブックプリンタＰＢの相互間に、インターフェース３２が接続される。
【００２０】
ステートメントプリンタＳＴは、コントローラ（第１コントローラ）４１を有する。パスブックプリンタＰＢは、コントローラ（第２コントローラ）４２を有する。
【００２１】
コントローラ４１は、上位装置３０からの指示に応じてステートメントプリンタＳＴのプリントを制御するとともに、そのプリントに際し、上位装置３０からの指示をインターフェース３２を介してパスブックプリンタＰＢに転送する。
【００２２】
コントローラ４２は、上位装置３０からの指示に応じてパスブックプリンタＰＢのプリントを制御するとともに、ステートメントプリンタＳＴのプリント時に上記コントローラ４１から転送される指示に応じてパスブックプリンタＰＢによるサーマル用紙４の搬送を制御する。
【００２３】
作用を説明する。  
通帳Ｔへのプリントに際し、図３に示すように、上位装置３０からパスブックプリンタＰＢに指示（コマンド）が送られ、その指示に応じてパスブックプリンタＰＢが通帳Ｔの搬送およびその通帳Ｔに対するドットマトリックスプリントなどの動作を開始する。そして、パスブックプリンタＰＢから上位装置３０に、動作開始の旨のレスポンス情報が送られる。また、パスブックプリンタＰＢの動作中、上位装置３０からパスブックプリンタＰＢにステータス・リクエスト情報が送られ、このステータス・リクエスト情報に応える形で、パスブックプリンタＰＢから上位装置３０に、動作状態を表わすステータス情報が送られる。
【００２４】
サーマル用紙４のプリントに際しては、図４に示すように、上位装置３０からステートメントプリンタＳＴに指示（コマンド）が送られ、その指示に応じてステートメントプリンタＳＴがサーマル用紙４の搬送、サーマル用紙４に対するサーマルプリント、サーマル用紙４の切断などの動作を開始する。この開始に伴い、上位装置３０からステートメントプリンタＳＴに送られた指示（コマンド）が、そのまま、ステートメントプリンタＳＴからパスブックプリンタＰＢに転送される。この転送に基づき、パスブックプリンタＰＢがサーマル用紙４の搬送動作を開始する。このとき、パスブックプリンタＰＢからステートメントプリンタＳＴに、搬送開始のレスポンス情報が送られる。そして、パスブックプリンタＰＢの搬送開始の旨のレスポンス情報が、ステートメントプリンタＳＴから上位装置３０に送られる。
【００２５】
ステートメントプリンタＳＴが動作し、かつパスブックプリンタＰＢが動作しているとき、上位装置３０からステートメントプリンタＳＴにステータス・リクエスト情報が送られる。これに伴い、ステートメントプリンタＳＴからパスブックプリンタＰＢに同様のリクエスト情報が送られる。このリクエスト情報に応える形で、搬送動作の状態に関するレスポンス情報がパスブックプリンタＰＢからステートメントプリンタＳＴに送られ、そのステートメントプリンタＳＴの動作およびパスブックプリンタＰＢの搬送動作の状態を表わすステータス情報が、ステートメントプリンタＳＴから上位装置３０に送られる。
【００２６】
このように、上位装置３０は、サーマル用紙４のプリントに関してはステートメントプリンタＳＴに指示を与え、通帳Ｔのプリントに関してはパスブックプリンタＰＢに指示を与えるだけでよく、ステートメントプリンタＳＴおよびパスブックプリンタＰＢの動作を同期させるための監視などまったく不要である。よって、上位装置３０の負担増やそれに伴うコストアップを回避できる。
【００２７】
ステートメントプリンタＳＴおよびパスブックプリンタＰＢの動作の同期、つまりサーマル用紙４のプリント動作に伴うパスブックプリンタＰＢの用紙搬送動作については、ステートメントプリンタＳＴが上位装置３０から受けた指示をそのステートメントプリンタＳＴからパスブックプリンタＰＢに転送するだけで、確実に実行される。
【００２８】
ステートメントプリンタＳＴのコントローラ４１としては、転送機能が増えるだけで、サーマル用紙４のプリントのみ制御すればよく、性能アップやそれに伴うコストアップを生じることなく、ステートメントプリンタＳＴを容易にしかも的確に制御できる。
【００２９】
パスブックプリンタＰＢのコントローラ４２としては、通帳プリントの制御に加え、単にサーマル用紙４の搬送のみ制御すればよく、やはり性能アップやそれに伴うコストアップを生じることなく、パスブックプリンタＰＢを容易にしかも的確に制御できる。
【００３０】
なお、この発明は、上述した実施の形態そのままに限定されるものではなく、実施段階ではその要旨を逸脱しない範囲で構成要素を変形して具体化できる。
【符号の説明】
【００３１】
２…フェイシア部、４…サーマル用紙（プリント媒体）、５…第１搬送手段、６ａ，６ｂ…搬送路、９ａ…ドットマトリクスヘッド、１０…第２搬送手段、１７，１８…サーマルヘッド、３０…上位装置、３１…ＵＳＢハブ、３２…インターフェース、Ｔ…通帳、ＳＴ…ステートメントプリンタ（第１プリンタ）、ＰＢ…パスブックプリンタ（第２プリンタ）、４１…コントローラ（第１コントローラ）、４２…コントローラ（第２コントローラ）
【先行技術文献】
【特許文献】
【００３２】
【特許文献１】特開２００２−７３２９０号公報
【図１】
2010214733.tif 000003
【図２】
2010214733.tif 000004
【図３】
2010214733.tif 000005
【図４】
2010214733.tif 000006